(57)【要約】【解決すべき課題】立体映像において、右目用映像信号及び左目用映像信号から成る立体映像信号を夫々別々に送信し、立体映像を視聴できる受信機はもちろんのこと、立体映像を視聴できない受信機であっても通常の映像として鑑賞することができる技術を提供すること。【課題を解決するための手段】伝送システム１００から、Ｌ用関連情報の挿入されたＬ用映像信号が送信された後にＲ用関連情報の挿入されたＲ用映像信号が送信される。一方、受信機２００は、伝送システム１００から送信されて来たＬ用映像信号を保存部２０３に保存させる。その後、伝送システム１００から送信されて来たＲ用映像信号を受信した受信機２００は、受信したＲ用映像信号に含まれているＲ用関連情報に基づいて、保存部２０３に保存されているＬ用映像信号を読み出し、この読み出したＬ用映像信号と受信したＲ用映像信号とを合成して立体映像を表示部２１０に表示させる。【選択図】　図１
2004040455.tif 000002
【特許請求の範囲】
【請求項１】
立体映像を生成する為の第１の映像信号と前記第１の映像信号と相補関係にある第２の映像信号とを用いて、配信部から立体映像信号を伝送し、受信部で再生する伝送再生方法であって、
配信部において、前記第１の映像信号と前記第２の映像信号とを関連付ける関連情報を第１の映像信号及び第２の映像信号に挿入するステップと、
配信部において、前記関連情報の挿入された第１の映像信号を伝送するステップと、
受信部において、前記伝送された第１の映像信号を受信し、この受信した第１の映像信号を保存するステップと、
配信部において、前記第１の映像信号の伝送後の所定の期間経過後、前記関連情報の挿入された第２の映像信号を伝送するステップと、
受信部において、前記伝送された第２の映像信号を受信し、この受信した第２の映像信号に挿入されている関連情報に基づいて、この第２の映像信号に対応する第１の映像信号の関連情報を前記保存されている第１の映像信号の関連情報から検索し、検索された関連情報に対応する第１の映像信号を読み出すステップと、
受信部において、前記読み出した第１の映像信号と、前記受信した第２の映像信号とに基づいて、立体映像を再生するステップと
を有することを特徴とする伝送再生方法。
【請求項２】
前記伝送再生方法は、
配信部において、第１の映像信号のフレームと第２の映像信号のフレームとを同期させる同期情報を第１の映像信号と第２の映像信号とに挿入するステップと、
受信部において、前記受信した第２の映像信号に挿入されている同期情報と、前記読み出した第１の映像信号に挿入されている同期情報とに従って、第１の映像信号のフレームと第２の映像信号のフレームとを同期させるステップと
を更に有することを特徴とする請求項１に記載の伝送再生方法。
【請求項３】
伝送再生方法は、
受信部において、前記第１の映像信号の伝送後の所定の期間経過後、配信部から送信されてきた第２の映像信号を受信し、この受信した第２の映像信号を保存するステップと、
受信部において、ユーザにより前記保存された第１の映像信号及び第２の映像信号から成る立体映像の再生が指示されると、前記保存されている第１の映像信号及び前記第２の映像信号を前記保存されている第１の映像信号及び第２の映像信号に挿入されている関連情報に基づいて、読み出すステップと、
受信部において、前記読み出した第１の映像信号と第２の映像信号とに基づいて、立体映像を再生するステップと
を更に有することを特徴とする請求項１又は請求項２に記載の伝送再生方法。
【請求項４】
伝送再生方法は、
配信部において、前記関連情報に加え、前記第１の映像信号と前記第２の映像信号とから成る立体映像の内容を識別する為の識別情報を前記第１の映像信号及び前記第２の映像信号の少なくとも一方に挿入するステップと、
受信部において、前記第１の映像信号の伝送後の所定の期間経過後、配信部から送信されてきた第２の映像信号を受信し、この受信した第２の映像信号を保存するステップと、
受信部において、前記保存された第１の映像信号又は第２の映像信号に挿入されている識別情報に基づいて、受信部で現在再生可能な立体映像のリストを表示するステップと、
受信部において、ユーザにより前記リストから特定の立体映像が指定されると、この指定された立体映像を生成する為の第１の映像信号及び第２の映像信号を前記保存されている第１の映像信号及び第２の映像信号に挿入されている関連情報に基づいて、読み出すステップと、
受信部において、前記読み出した第１の映像信号と第２の映像信号とに基づいて、立体映像を再生するステップと
を更に有することを特徴とする請求項１又は請求項２に記載の伝送再生方法。
【請求項５】
立体映像を生成する為の第１の映像信号と前記第１の映像信号と相補関係にある第２の映像信号とを伝送する伝送方法であって、
配信部において、前記第１の映像信号と前記第２の映像信号とを関連付ける関連情報を第１の映像信号及び第２の映像信号に挿入するステップと、
配信部において、前記関連情報の挿入された第１の映像信号を伝送するステップと、
配信部において、前記第１の映像信号の伝送後の所定の期間経過後、前記関連情報の挿入された第２の映像信号を伝送するステップと
を有することを特徴とする伝送方法。
【請求項６】
前記伝送方法は、
配信部において、第１の映像信号のフレームと第２の映像信号のフレームとを同期させる同期情報を第１の映像信号と第２の映像信号とに挿入するステップを更に有することを特徴とする請求項５に記載の伝送方法。
【請求項７】
前記伝送方法は、
配信部において、前記関連情報に加え、前記第１の映像信号と前記第２の映像信号とから成る立体映像の種類を識別する為の識別情報を前記第１の映像信号及び前記第２の映像信号の少なくとも一方に挿入するステップを更に有することを特徴とする請求項５又は請求項６に記載の伝送方法。
【請求項８】
配信部と受信部とを有し、立体映像を生成する為の第１の映像信号と前記第１の映像信号と相補関係にある第２の映像信号とを用いて、配信部から立体映像信号を伝送し、受信部で再生する伝送再生システムであって、
前記配信部は、
前記第１の映像信号と前記第２の映像信号とを関連付ける関連情報を生成する生成手段と、
前記生成された関連情報を前記第１の映像信号及び前記第２の映像信号に挿入する挿入手段と、
前記挿入手段によって前記関連情報が挿入された第１の映像信号を伝送し、前記第１の映像信号の伝送後の所定の期間経過後、前記挿入手段によって前記関連情報が挿入された第２の映像信号を伝送する伝送手段とを有し、
前記受信部は、
前記配信部から伝送されて来た第１の映像信号又は第２の映像信号を受信する受信手段と、
第１の映像信号が保存される保存手段と、
前記受信手段で受信した映像信号に挿入されている関連情報に基づいて、前記受信した映像信号が第１の映像信号又は第２の映像信号のいずれかであるかを判別する判別手段と、
前記受信した映像信号が前記判別手段により第１の映像信号と判別された場合、この第１の映像信号を前記保存手段に保存させる手段と、
前記受信した映像信号が前記判別手段により第２の映像信号と判別された場合、前記第２の映像信号に挿入されている関連情報に基づいて、この第２の映像信号と対応する第１の映像信号の関連情報を前記保存手段に保存されている第１の映像信号の関連情報から検索し、検索された関連情報に対応する第１の映像信号を読み出す手段と、
前記読み出した第１の映像信号と、前記受信した第２の映像信号とに基づいて、立体映像を再生する再生手段と
を有することを特徴とする伝送再生システム。
【請求項９】
前記配信部は、
第１の映像信号のフレームと第２の映像信号のフレームとを同期させる同期情報を生成する手段と、
前記生成した同期情報を第１の映像信号と第２の映像信号とに挿入する手段とを有し、
前記受信部は、
前記受信手段で受信した第２の映像信号に挿入されている同期情報と、前記保存手段から読み出された第１の映像信号に挿入されている同期情報とに基づいて、第１の映像信号のフレームと第２の映像信号のフレームとを同期させる手段を有することを特徴とする請求項８に記載の伝送再生システム。
【請求項１０】
前記受信部は、
前記保存手段に前記受信手段で受信した第２の映像信号が保存され、
ユーザにより前記保存手段に保存された第１の映像信号及び第２の映像信号から成る立体映像の再生が指示されると、前記第１の映像信号及び前記第２の映像信号を前記保存されている第１の映像信号及び第２の映像信号に挿入されている関連情報に基づいて、前記保存手段から読み出す手段と
を有することを特徴とする請求項８又は請求項９に記載の伝送再生システム。
【請求項１１】
前記配信部は、
前記第１の映像信号と前記第２の映像信号とから成る立体映像の種類を識別する為の識別情報を生成する手段と、
前記生成された識別情報を前記第１の映像信号及び前記第２の映像信号の少なくとも一方に挿入する手段とを有し、
前記受信部は、
前記保存手段に前記受信手段で受信した第２の映像信号が保存され、
前記保存手段に保存された第１の映像信号又は第２の映像信号に挿入されている識別情報に基づいて、受信部で現在再生可能な立体映像のリストを表示する表示手段と、
ユーザにより前記表示手段で表示されたリストから特定の立体映像が指定されると、この指定された立体映像を生成する為の第１の映像信号及び第２の映像信号を前記保存されている第１の映像信号及び第２の映像信号に挿入されている関連情報に基づいて、前記保存手段から読み出す手段と
を有することを特徴とする請求項８又は請求項９に記載の伝送再生システム。
【請求項１２】
立体映像を生成する為の第１の映像信号と前記第１の映像信号と相補関係にある第２の映像信号とを用いて、立体映像の映像信号を送信する送信システムであって、
前記第１の映像信号と前記第２の映像信号とを関連付ける関連情報を生成する生成手段と、
前記生成された関連情報を前記第１の映像信号及び前記第２の映像信号に挿入する挿入手段と、
前記挿入手段によって前記関連情報が挿入された第１の映像信号を伝送し、前記第１の映像信号の伝送後の所定の期間経過後、前記挿入手段によって前記関連情報が挿入された第２の映像信号を伝送する伝送手段と
を有することを特徴とする送信システム。
【請求項１３】
前記送信システムは、
第１の映像信号のフレームと第２の映像信号のフレームとを同期させる同期情報を生成する手段と、
前記生成した同期情報を第１の映像信号と第２の映像信号とに挿入する手段とを有することを特徴とする請求項１２記載の送信システム。
【請求項１４】
前記送信システムは、
前記第１の映像信号と前記第２の映像信号とから成る立体映像の内容を識別する為の識別情報を生成する手段と、
前記生成された識別情報を前記第１の映像信号及び前記第２の映像信号の少なくとも一方に挿入する手段と
を更に有することを特徴とする請求項１２又は請求項１３に記載の送信システム。
【請求項１５】
立体映像を生成する為の第１の映像信号と前記第１の映像信号と相補関係にある第２の映像信号とを用いて、立体映像信号を伝送し、受信機で再生する伝送再生システムの受信機であって、
第１の映像信号又は第２の映像信号を受信する受信手段と、
第１の映像信号が保存される保存手段と、
前記受信手段で受信した映像信号の関連情報に基づいて、前記受信した映像信号が第１の映像信号又は第２の映像信号のいずれかであるかを判別する判別手段と、
前記受信した映像信号が前記判別手段により第１の映像信号と判別された場合、この第１の映像信号を前記保存手段に保存する手段と、
前記受信した映像信号が前記判別手段により第２の映像信号と判別された場合、前記第２の映像信号に挿入されている関連情報に基づいて、この第２の映像信号に対応する第１の映像信号の関連情報を前記保存されている第１の映像信号の関連情報から検索し、検索された関連情報に対応する第１の映像信号を前記保存手段から読み出す手段と、
前記読み出した第１の映像信号と、前記受信した第２の映像信号とに基づいて、立体映像を再生する再生手段と
を有することを特徴とする伝送再生システムの受信機。
【請求項１６】
前記受信機は、
前記受信手段で受信した第２の映像信号に挿入されている同期情報と、前記保存手段から読み出した第１の映像信号に挿入されている同期情報とに基づいて、第１の映像信号のフレームと第２の映像信号のフレームとを同期させる手段を有することを特徴とする請求項１５に記載の伝送再生システムの受信機。
【請求項１７】
前記受信機は、
前記保存手段に前記受信手段で受信した第２の映像信号が保存され、
ユーザにより前記保存手段に保存された第１の映像信号及び第２の映像信号から成る立体映像の再生が指示されると、前記第１の映像信号及び前記第２の映像信号を前記保存されている第１の映像信号及び第２の映像信号に挿入されている関連情報に基づいて、前記保存手段から読み出す手段と
を有することを特徴とする請求項１５又は請求項１６に記載の伝送再生システムの受信機。
【請求項１８】
前記受信機は、
前記保存手段に前記受信手段で受信した第２の映像信号が保存され、
前記保存手段に保存された第１の映像信号又は第２の映像信号に挿入されている識別情報に基づいて、受信機で現在再生可能な立体映像のリストを表示する表示手段と、
ユーザにより前記表示手段で表示されたリストから特定の立体映像が指定されると、この指定された立体映像を生成する為の第１の映像信号及び第２の映像信号を前記保存手段で保存されている第１の映像信号及び第２の映像信号に挿入されている関連情報に基づいて、前記保存手段から読み出す手段と、
を有することを特徴とする請求項１５又は請求項１６に記載の伝送再生システムの受信機。
【請求項１９】
立体映像を生成する為の第１の映像信号と前記第１の映像信号と相補関係にある第２の映像信号とを用いて、立体映像信号をサーバから送信し、端末装置で立体映像を再生する立体映像配信システムであって、
前記システムは、サーバと端末装置と、前記サーバと端末装置とを接続する通信回線とを有し、
前記サーバは、
前記第１の映像信号と前記第２の映像信号とを関連付ける関連情報の挿入された第１の映像信号及び第２の映像信号が保存されている保存手段と、
前記保存手段に保存されている第１の映像信号を送信し、前記第１の映像信号の送信後の所定の期間経過後、前記保存手段に保存されている第２の映像信号を送信する送信手段とを有し、
前記端末装置は、
前記サーバから送信されて来た第１の映像信号又は第２の映像信号を受信する受信手段と、
第１の映像信号が保存される保存手段と、
前記受信手段で受信した映像信号の関連情報に基づいて、前記受信した映像信号が第１の映像信号又は第２の映像信号のいずれかであるかを判別する判別手段と、
前記受信した映像信号が前記判別手段により第１の映像信号と判別された場合、この第１の映像信号を前記保存手段に保存する手段と、
前記受信した映像信号が前記判別手段により第２の映像信号と判別された場合、この第２の映像信号と対応する第１の映像信号の関連情報を前記保存手段に保存されている第１の映像信号の関連情報から検索し、検索された関連情報に対応する第１の映像信号を前記保存手段から読み出す手段と、
前記読み出した第１の映像信号と、前記受信した第２の映像信号とに基づいて、立体映像を再生する再生手段と
を有することを特徴とする立体映像配信システム。
【請求項２０】
前記端末装置は、
前記保存手段に前記受信手段で受信した第２の映像信号が保存され、
ユーザにより前記保存手段に保存された第１の映像信号及び第２の映像信号から成る立体映像の再生が指示されると、前記第１の映像信号及び前記第２の映像信号を前記保存されている第１の映像信号及び第２の映像信号に挿入されている関連情報に基づいて、前記保存手段から読み出す手段と
を有することを特徴とする請求項１９に記載の立体映像配信システム。
【請求項２１】
前記サーバの保存手段には、前記関連情報に加え、前記第１の映像信号と前記第２の映像信号とから成る立体映像の種類を識別する為の識別情報が挿入された第１の映像信号と第２の映像信号とが保存され、
前記端末装置は、
前記保存手段に第２の映像信号が保存され、
前記保存手段に保存されている第１の映像信号又は第２の映像信号に挿入されている識別情報に基づいて、受信部で現在再生可能な立体映像のリストを表示する表示手段と、
ユーザにより前記表示手段で表示されたリストから特定の立体映像が指定されると、この指定された立体映像を生成する為の第１の映像信号及び第２の映像信号を前記保存手段で保存されている第１の映像信号及び第２の映像信号に挿入されている関連情報に基づいて、前記保存手段から読み出す手段と、
前記読み出した第１の映像信号と第２の映像信号とに基づいて、立体映像を再生する再生手段と
を有することを特徴とする請求項１９に記載の立体映像配信システム。
【請求項２２】
立体映像を再生させる為の第１の映像信号と前記第１の映像信号と相補関係にある第２の映像信号とを用いて、サーバと通信回線で接続されている端末装置に立体映像を再生させる為、サーバから前記第１の映像信号と前記第２の映像信号とを別々に送信する立体映像配信システムのサーバであって、
前記第１の映像信号と前記第２の映像信号とを関連付ける関連情報の挿入された第１の映像信号及び第２の映像信号が保存されている保存手段と、
前記保存手段に保存されている第１の映像信号を送信し、前記第１の映像信号の送信後の所定の期間経過後、前記保存手段に保存されている第２の映像信号を送信する送信手段と
を有すること特徴とする立体映像配信システムのサーバ。
【請求項２３】
前記サーバの保存手段は、前記関連情報に加え、少なくとも一方に前記第１の映像信号と前記第２の映像信号とから成る立体映像の種類を識別する為の識別情報が挿入された第１の映像信号及び第２の映像信号が保存されていることを特徴とする請求項２２に記載の立体映像配信システムのサーバ。
【発明の詳細な説明】
【０００１】
【発明が属する技術分野】
本発明は立体映像の技術に関し、特に立体映像を生成する為の第１の映像信号（例えば左目用の映像信号）又は第２の映像信号（例えば右目用の映像信号）の一方を予め送信し、後に残りの一方を送信することで、立体映像としてだけでなく通常の映像としても鑑賞することができる技術に関する。
【０００２】
【従来の技術】
近年、映像サービスも多種にわたっており、立体映像のサービスも試みられている。その立体映像の代表的な方法として、左目用の映像信号と右目用の映像信号とを伝送し、受信側で特殊なメガネを用いることにより、立体映像を鑑賞する技術が知られている。このような観点から発明された技術として、例えば特開２０００−９２５１９号公報がある。この特開２０００−９２５１９号公報には、圧縮され、かつ多重化された右目用動画像データと左目用動画像データを受信して分離する分離部１１と、分離部１１によって得られる圧縮された右目用動動画像データを複合化する第１の圧縮画像複合化器４ａと、分離部１１によって得られる圧縮された左目用動動画像データを複合化する第２の圧縮画像複合化器４ｂとを具備する立体画像受信装置３の技術が開示されている。この立体画像受信装置３は、送信側６から送信されて来た右目用動画像データ及び左目用動画像データを多重化した多重化信号を受信すると、受信した多重化信号を分離部１１で右目用動画像データと左目用動画像用データとに分離する。そして、分離した右目用動画像データ及び左目用動画像用データを圧縮画像復号器４ａ、４ｂで展開し、立体表示メガネ５で表示する。
【０００３】
【発明が解決しようとする課題】
しかしながら、上記特開２０００−９２５１９号公報では、送信側６から送信されて来る映像信号が右目用動画像データと左目用動画像データとを圧縮して多重化した映像信号であることから、立体映像専用の受信装置が必要であった。
【０００４】
また、送信されてくる映像信号は、上述した通り、右目用動画像データと左目用動画像データとが多重化された映像信号であるので、右目用動画像データと左目用動画像データとを分離する分離部がない通常の受信装置では、立体映像はもちろんのこと、通常の映像としても鑑賞することができなかった。
【０００５】
そこで、本発明は上記課題を鑑みて発明されたものであって、右目用動画像データ（右目用映像信号）及び左目用動画像データ（左目用映像信号）から成る立体映像信号を夫々別々に送信し、立体映像を視聴できる受信機はもちろんのこと、立体映像を視聴できない受信機であっても通常の映像として鑑賞することのできる技術を提供することである。
【０００６】
【課題を解決するための手段】
上記の課題を解決する第１の発明は、立体映像を生成する為の第１の映像信号と前記第１の映像信号と相補関係にある第２の映像信号とを用いて、配信部から立体映像信号を伝送し、受信部で再生する伝送再生方法であって、
配信部において、前記第１の映像信号と前記第２の映像信号とを関連付ける関連情報を第１の映像信号及び第２の映像信号に挿入するステップと、
配信部において、前記関連情報の挿入された第１の映像信号を伝送するステップと、
受信部において、前記伝送された第１の映像信号を受信し、この受信した第１の映像信号を保存するステップと、
配信部において、前記第１の映像信号の伝送後の所定の期間経過後、前記関連情報の挿入された第２の映像信号を伝送するステップと、
受信部において、前記伝送された第２の映像信号を受信し、この受信した第２の映像信号に挿入されている関連情報に基づいて、この第２の映像信号に対応する第１の映像信号の関連情報を前記保存されている第１の映像信号の関連情報から検索し、検索された関連情報に対応する第１の映像信号を読み出すステップと、
受信部において、前記読み出した第１の映像信号と、前記受信した第２の映像信号とに基づいて、立体映像を再生するステップと
を有することを特徴とする。
【０００７】
上記の課題を解決する第２の発明は、上記第１の発明において、前記伝送再生方法は、
配信部において、第１の映像信号のフレームと第２の映像信号のフレームとを同期させる同期情報を第１の映像信号と第２の映像信号とに挿入するステップと、
受信部において、前記受信した第２の映像信号に挿入されている同期情報と、前記読み出した第１の映像信号に挿入されている同期情報とに従って、第１の映像信号のフレームと第２の映像信号のフレームとを同期させるステップと
を更に有することを特徴とする。
【０００８】
上記の課題を解決する第３の発明は、上記第１の発明又は第２の発明において、伝送再生方法は、
受信部において、前記第１の映像信号の伝送後の所定の期間経過後、配信部から送信されてきた第２の映像信号を受信し、この受信した第２の映像信号を保存するステップと、
受信部において、ユーザにより前記保存された第１の映像信号及び第２の映像信号から成る立体映像の再生が指示されると、前記保存されている第１の映像信号及び前記第２の映像信号を前記保存されている第１の映像信号及び第２の映像信号に挿入されている関連情報に基づいて、読み出すステップと、
受信部において、前記読み出した第１の映像信号と第２の映像信号とに基づいて、立体映像を再生するステップと
を更に有することを特徴とする。
【０００９】
上記の課題を解決する第４の発明は、上記第１の発明又は第２の発明において、伝送再生方法は、
配信部において、前記関連情報に加え、前記第１の映像信号と前記第２の映像信号とから成る立体映像の内容を識別する為の識別情報を前記第１の映像信号及び前記第２の映像信号の少なくとも一方に挿入するステップと、
受信部において、前記第１の映像信号の伝送後の所定の期間経過後、配信部から送信されてきた第２の映像信号を受信し、この受信した第２の映像信号を保存するステップと、
受信部において、前記保存された第１の映像信号又は第２の映像信号に挿入されている識別情報に基づいて、受信部で現在再生可能な立体映像のリストを表示するステップと、
受信部において、ユーザにより前記リストから特定の立体映像が指定されると、この指定された立体映像を生成する為の第１の映像信号及び第２の映像信号を前記保存されている第１の映像信号及び第２の映像信号に挿入されている関連情報に基づいて、読み出すステップと、
受信部において、前記読み出した第１の映像信号と第２の映像信号とに基づいて、立体映像を再生するステップと
を更に有することを特徴とする。
【００１０】
上記の課題を解決する第５の発明は、立体映像を生成する為の第１の映像信号と前記第１の映像信号と相補関係にある第２の映像信号とを伝送する伝送方法であって、
配信部において、前記第１の映像信号と前記第２の映像信号とを関連付ける関連情報を第１の映像信号及び第２の映像信号に挿入するステップと、
配信部において、前記関連情報の挿入された第１の映像信号を伝送するステップと、
配信部において、前記第１の映像信号の伝送後の所定の期間経過後、前記関連情報の挿入された第２の映像信号を伝送するステップと
を有することを特徴とする。
【００１１】
上記の課題を解決する第６の発明は、上記第５の発明において、前記伝送方法は、
配信部において、第１の映像信号のフレームと第２の映像信号のフレームとを同期させる同期情報を第１の映像信号と第２の映像信号とに挿入するステップを更に有することを特徴とする。
【００１２】
上記の課題を解決する第７の発明は、上記第５の発明又は第６の発明において、前記伝送方法は、
配信部において、前記関連情報に加え、前記第１の映像信号と前記第２の映像信号とから成る立体映像の種類を識別する為の識別情報を前記第１の映像信号及び前記第２の映像信号の少なくとも一方に挿入するステップを更に有することを特徴とする。
【００１３】
上記の課題を解決する第８の発明は、配信部と受信部とを有し、立体映像を生成する為の第１の映像信号と前記第１の映像信号と相補関係にある第２の映像信号とを用いて、配信部から立体映像信号を伝送し、受信部で再生する伝送再生システムであって、
前記配信部は、
前記第１の映像信号と前記第２の映像信号とを関連付ける関連情報を生成する生成手段と、
前記生成された関連情報を前記第１の映像信号及び前記第２の映像信号に挿入する挿入手段と、
前記挿入手段によって前記関連情報が挿入された第１の映像信号を伝送し、前記第１の映像信号の伝送後の所定の期間経過後、前記挿入手段によって前記関連情報が挿入された第２の映像信号を伝送する伝送手段とを有し、
前記受信部は、
前記配信部から伝送されて来た第１の映像信号又は第２の映像信号を受信する受信手段と、
第１の映像信号が保存される保存手段と、
前記受信手段で受信した映像信号に挿入されている関連情報に基づいて、前記受信した映像信号が第１の映像信号又は第２の映像信号のいずれかであるかを判別する判別手段と、
前記受信した映像信号が前記判別手段により第１の映像信号と判別された場合、この第１の映像信号を前記保存手段に保存させる手段と、
前記受信した映像信号が前記判別手段により第２の映像信号と判別された場合、前記第２の映像信号に挿入されている関連情報に基づいて、この第２の映像信号と対応する第１の映像信号の関連情報を前記保存手段に保存されている第１の映像信号の関連情報から検索し、検索された関連情報に対応する第１の映像信号を読み出す手段と、
前記読み出した第１の映像信号と、前記受信した第２の映像信号とに基づいて、立体映像を再生する再生手段と
を有することを特徴とする。
【００１４】
上記の課題を解決する第９の発明は、上記第８の発明において、前記配信部は、
第１の映像信号のフレームと第２の映像信号のフレームとを同期させる同期情報を生成する手段と、
前記生成した同期情報を第１の映像信号と第２の映像信号とに挿入する手段とを有し、
前記受信部は、
前記受信手段で受信した第２の映像信号に挿入されている同期情報と、前記保存手段から読み出された第１の映像信号に挿入されている同期情報とに基づいて、第１の映像信号のフレームと第２の映像信号のフレームとを同期させる手段を有することを特徴とする。
【００１５】
上記の課題を解決する第１０の発明は、上記第８の発明又は第９の発明において、前記受信部は、
前記保存手段に前記受信手段で受信した第２の映像信号が保存され、
ユーザにより前記保存手段に保存された第１の映像信号及び第２の映像信号から成る立体映像の再生が指示されると、前記第１の映像信号及び前記第２の映像信号を前記保存されている第１の映像信号及び第２の映像信号に挿入されている関連情報に基づいて、前記保存手段から読み出す手段と
を有することを特徴とする。
【００１６】
上記の課題を解決する第１１の発明は、上記第８の発明又は第９の発明において、前記配信部は、
前記第１の映像信号と前記第２の映像信号とから成る立体映像の種類を識別する為の識別情報を生成する手段と、
前記生成された識別情報を前記第１の映像信号及び前記第２の映像信号の少なくとも一方に挿入する手段とを有し、
前記受信部は、
前記保存手段に前記受信手段で受信した第２の映像信号が保存され、
前記保存手段に保存された第１の映像信号又は第２の映像信号に挿入されている識別情報に基づいて、受信部で現在再生可能な立体映像のリストを表示する表示手段と、
ユーザにより前記表示手段で表示されたリストから特定の立体映像が指定されると、この指定された立体映像を生成する為の第１の映像信号及び第２の映像信号を前記保存されている第１の映像信号及び第２の映像信号に挿入されている関連情報に基づいて、前記保存手段から読み出す手段と
を有することを特徴とする。
【００１７】
上記の課題を解決する第１２の発明は、立体映像を生成する為の第１の映像信号と前記第１の映像信号と相補関係にある第２の映像信号とを用いて、立体映像の映像信号を送信する送信システムであって、
前記第１の映像信号と前記第２の映像信号とを関連付ける関連情報を生成する生成手段と、
前記生成された関連情報を前記第１の映像信号及び前記第２の映像信号に挿入する挿入手段と、
前記挿入手段によって前記関連情報が挿入された第１の映像信号を伝送し、前記第１の映像信号の伝送後の所定の期間経過後、前記挿入手段によって前記関連情報が挿入された第２の映像信号を伝送する伝送手段と
を有することを特徴とする。
【００１８】
上記の課題を解決する第１３の発明は、上記第１２の発明において、前記送信システムは、
第１の映像信号のフレームと第２の映像信号のフレームとを同期させる同期情報を生成する手段と、
前記生成した同期情報を第１の映像信号と第２の映像信号とに挿入する手段とを有することを特徴とする。
【００１９】
上記の課題を解決する第１４の発明は、上記第１２の発明又は第１３の発明において、前記送信システムは、
前記第１の映像信号と前記第２の映像信号とから成る立体映像の内容を識別する為の識別情報を生成する手段と、
前記生成された識別情報を前記第１の映像信号及び前記第２の映像信号の少なくとも一方に挿入する手段と
を更に有することを特徴とする。
【００２０】
上記の課題を解決する第１５の発明は、立体映像を生成する為の第１の映像信号と前記第１の映像信号と相補関係にある第２の映像信号とを用いて、立体映像信号を伝送し、受信機で再生する伝送再生システムの受信機であって、
第１の映像信号又は第２の映像信号を受信する受信手段と、
第１の映像信号が保存される保存手段と、
前記受信手段で受信した映像信号の関連情報に基づいて、前記受信した映像信号が第１の映像信号又は第２の映像信号のいずれかであるかを判別する判別手段と、
前記受信した映像信号が前記判別手段により第１の映像信号と判別された場合、この第１の映像信号を前記保存手段に保存する手段と、
前記受信した映像信号が前記判別手段により第２の映像信号と判別された場合、前記第２の映像信号に挿入されている関連情報に基づいて、この第２の映像信号に対応する第１の映像信号の関連情報を前記保存されている第１の映像信号の関連情報から検索し、検索された関連情報に対応する第１の映像信号を前記保存手段から読み出す手段と、
前記読み出した第１の映像信号と、前記受信した第２の映像信号とに基づいて、立体映像を再生する再生手段と
を有することを特徴とする。
【００２１】
上記の課題を解決する第１６の発明は、上記第１５の発明において、前記受信機は、
前記受信手段で受信した第２の映像信号に挿入されている同期情報と、前記保存手段から読み出した第１の映像信号に挿入されている同期情報とに基づいて、第１の映像信号のフレームと第２の映像信号のフレームとを同期させる手段を有することを特徴とする。
【００２２】
上記の課題を解決する第１７の発明は、上記第１５の発明又は第１６の発明において、前記受信機は、
前記保存手段に前記受信手段で受信した第２の映像信号が保存され、
ユーザにより前記保存手段に保存された第１の映像信号及び第２の映像信号から成る立体映像の再生が指示されると、前記第１の映像信号及び前記第２の映像信号を前記保存されている第１の映像信号及び第２の映像信号に挿入されている関連情報に基づいて、前記保存手段から読み出す手段と
を有することを特徴とする。
【００２３】
上記の課題を解決する第１８の発明は、上記第１５の発明又は第１６の発明において、前記受信機は、
前記保存手段に前記受信手段で受信した第２の映像信号が保存され、
前記保存手段に保存された第１の映像信号又は第２の映像信号に挿入されている識別情報に基づいて、受信機で現在再生可能な立体映像のリストを表示する表示手段と、
ユーザにより前記表示手段で表示されたリストから特定の立体映像が指定されると、この指定された立体映像を生成する為の第１の映像信号及び第２の映像信号を前記保存手段で保存されている第１の映像信号及び第２の映像信号に挿入されている関連情報に基づいて、前記保存手段から読み出す手段と、
を有することを特徴とする。
【００２４】
上記の課題を解決する第１９の発明は、立体映像を生成する為の第１の映像信号と前記第１の映像信号と相補関係にある第２の映像信号とを用いて、立体映像信号をサーバから送信し、端末装置で立体映像を再生する立体映像配信システムであって、
前記システムは、サーバと端末装置と、前記サーバと端末装置とを接続する通信回線とを有し、
前記サーバは、
前記第１の映像信号と前記第２の映像信号とを関連付ける関連情報の挿入された第１の映像信号及び第２の映像信号が保存されている保存手段と、
前記保存手段に保存されている第１の映像信号を送信し、前記第１の映像信号の送信後の所定の期間経過後、前記保存手段に保存されている第２の映像信号を送信する送信手段とを有し、
前記端末装置は、
前記サーバから送信されて来た第１の映像信号又は第２の映像信号を受信する受信手段と、
第１の映像信号が保存される保存手段と、
前記受信手段で受信した映像信号の関連情報に基づいて、前記受信した映像信号が第１の映像信号又は第２の映像信号のいずれかであるかを判別する判別手段と、
前記受信した映像信号が前記判別手段により第１の映像信号と判別された場合、この第１の映像信号を前記保存手段に保存する手段と、
前記受信した映像信号が前記判別手段により第２の映像信号と判別された場合、この第２の映像信号と対応する第１の映像信号の関連情報を前記保存手段に保存されている第１の映像信号の関連情報から検索し、検索された関連情報に対応する第１の映像信号を前記保存手段から読み出す手段と、
前記読み出した第１の映像信号と、前記受信した第２の映像信号とに基づいて、立体映像を再生する再生手段と
を有することを特徴とする。
【００２５】
上記の課題を解決する第２０の発明は、上記第１９の発明において、前記端末装置は、
前記保存手段に前記受信手段で受信した第２の映像信号が保存され、
ユーザにより前記保存手段に保存された第１の映像信号及び第２の映像信号から成る立体映像の再生が指示されると、前記第１の映像信号及び前記第２の映像信号を前記保存されている第１の映像信号及び第２の映像信号に挿入されている関連情報に基づいて、前記保存手段から読み出す手段と
を有することを特徴とする。
【００２６】
上記の課題を解決する第２１の発明は、上記第１９の発明において、前記サーバの保存手段には、前記関連情報に加え、前記第１の映像信号と前記第２の映像信号とから成る立体映像の種類を識別する為の識別情報が挿入された第１の映像信号と第２の映像信号とが保存され、
前記端末装置は、
前記保存手段に第２の映像信号が保存され、
前記保存手段に保存されている第１の映像信号又は第２の映像信号に挿入されている識別情報に基づいて、受信部で現在再生可能な立体映像のリストを表示する表示手段と、
ユーザにより前記表示手段で表示されたリストから特定の立体映像が指定されると、この指定された立体映像を生成する為の第１の映像信号及び第２の映像信号を前記保存手段で保存されている第１の映像信号及び第２の映像信号に挿入されている関連情報に基づいて、前記保存手段から読み出す手段と、
前記読み出した第１の映像信号と第２の映像信号とに基づいて、立体映像を再生する再生手段と
を有することを特徴とする。
【００２７】
上記の課題を解決する第２２の発明は、立体映像を再生させる為の第１の映像信号と前記第１の映像信号と相補関係にある第２の映像信号とを用いて、サーバと通信回線で接続されている端末装置に立体映像を再生させる為、サーバから前記第１の映像信号と前記第２の映像信号とを別々に送信する立体映像配信システムのサーバであって、
前記第１の映像信号と前記第２の映像信号とを関連付ける関連情報の挿入された第１の映像信号及び第２の映像信号が保存されている保存手段と、
前記保存手段に保存されている第１の映像信号を送信し、前記第１の映像信号の送信後の所定の期間経過後、前記保存手段に保存されている第２の映像信号を送信する送信手段と
を有すること特徴とする。
【００２８】
上記の課題を解決する第２３の発明は、上記第２２の発明において、前記サーバの保存手段は、前記関連情報に加え、少なくとも一方に前記第１の映像信号と前記第２の映像信号とから成る立体映像の種類を識別する為の識別情報が挿入された第１の映像信号及び第２の映像信号が保存されていることを特徴とする。
【発明の実施の形態】
第１の実施の形態について説明する。
【００２９】
本発明で用いられる立体映像信号は、第１の立体映像信号と第２の立体映像信号とから成り、第１の立体映像信号を左目用の立体映像信号（以下、Ｌ用映像信号と称する）とし、第２の立体映像信号を右目用の立体映像信号（以下、Ｒ用映像信号と称する）として説明する。このように、一つの立体映像を鑑賞する為に必要な関係の信号を、相補関係にある信号という。尚、相補関係にある信号は、左右の映像信号に限らず、例えば、一方の映像信号が左目用の映像信号と右目用の映像信号との加算信号又は差信号である場合も相補関係にある信号であり、このような処理をされた信号を含む概念である。
【００３０】
また、Ｌ用映像信号は、複数の左目用のフレーム（以下、Ｌ用フレームと称する）から成るものであり、Ｒ用映像信号は、複数の右目用のフレーム（以下、Ｒ用フレームと称する）から成るものである。
【００３１】
また、本実施の形態においては、ディジタル放送を前提にして説明する。
【００３２】
以下、第１の実施の形態を具体的に説明する。
【００３３】
尚、第１の実施の形態における説明では、先にＬ用映像信号を伝送システムから送信する場合について説明する。
【００３４】
図１は本願発明の伝送再生システムのブロック図である。
【００３５】
本願発明の伝送再生システムは、伝送システム１００と受信機２００とを有し、伝送システム１００は、先ずＬ用映像信号を送信する。このＬ用映像信号を受信した受信機２００は、このＬ用映像信号を保存すると共に、立体映像ではない通常の映像として再生する。その後、伝送システム１００は、Ｒ用映像信号を立体放送番組の映像信号として送信する。このＲ用映像信号を受信した受信機２００は、受信したＲ用映像信号と、保存したＬ用映像信号とに基づいて、立体映像を合成して表示する。
【００３６】
以下、伝送システム１００及び受信機２００の構成について説明する。
【００３７】
まず、伝送システム１００の構成について説明する。
【００３８】
図２は伝送システム１００のブロック図である。
【００３９】
１０１は立体映像生成部である。この立体映像生成部１０１は、立体映像信号に必要なＬ用映像信号と、このＬ用映像信号と相補関係にあるＲ用映像信号とを生成するものである。
【００４０】
１０２は同期情報生成部である。この同期情報生成部１０２は、複数のＬ用フレームと、複数のＲ用フレームとをフレーム毎に同期させる為の同期情報を生成するものである。ここで、同期情報は、例えばタイムコード、フレーム番号等が考えられる。
【００４１】
尚、以下の説明では、同期情報としてフレーム番号を用いる場合について説明する。例えば、複数のＬ用フレームをＬ１，Ｌ２，Ｌ３・・・とし、複数のＲ用フレームをＲ１，Ｒ２，Ｒ３・・・とした場合、フレーム番号は、同一タイミングで表示させるＬ１とＲ１とにフレーム番号“１”、同一タイミングで表示させるＬ２とＲ２とにフレーム番号“２”、同一タイミングで表示させるＬ３とＲ３とにフレーム番号“３”・・・となる。
【００４２】
１０３はＬ用同期情報挿入部である。このＬ用同期情報挿入部１０３は、同期情報生成部１０２で生成された同期情報をＬ用映像信号に挿入するものである。
【００４３】
１０４はＲ用同期情報挿入部である。このＲ用同期情報挿入部１０４は、同期情報生成部１０２で生成された同期情報をＲ用映像信号に挿入するものである。
【００４４】
１０５は立体表示用関連情報生成部である。この立体表示用関連情報生成部１０５は、Ｌ用関連情報及びＲ用関連情報を生成するものである。ここで、図３に示す如く、Ｌ用関連情報及びＲ用関連情報は、立体識別情報、信号識別情報、及びＩＤ番号から成る。
【００４５】
立体識別情報は、自映像信号が立体映像用の映像信号であるか否かを識別する為の情報である。例えば、立体識別情報の値が、“０”の場合、自映像信号が立体映像用の映像信号で無いことを示し、“１”の場合、自映像信号が立体映像用の映像信号であることを示す。
【００４６】
信号識別情報は、自映像信号がＬ用映像信号又はＲ用映像信号のいずれの映像信号であるかを識別する為の情報である。信号識別情報の値が、“０”の場合、自映像信号がＬ用映像信号であることを示し、“１”の場合、自映像信号がＲ用映像信号であることを示す。
【００４７】
ＩＤ番号は、所定の立体映像を構成する映像信号であることを識別する為のＩＤ番号である。例えば、所定の立体映像を構成する映像信号がＬ用映像信号αとＲ用映像信号βとである場合、Ｌ用映像信号αのＬ用関連情報及びＲ用映像信号βのＲ用関連情報のＩＤ番号には“１２３４”が記述される。
【００４８】
１０６はＲ用関連情報挿入部である。このＲ用関連情報挿入部１０６は、立体表示用関連情報生成部１０５で生成されたＲ用関連情報をＲ用映像信号に挿入するものである。
【００４９】
１０７はＬ用関連情報挿入部である。このＬ用関連情報挿入部１０７は、立体表示用関連情報生成部１０５で生成されたＬ用関連情報をＬ用映像信号に挿入するものである。
【００５０】
１０８は第１の符号化部である。この符号化部１０８は、Ｒ用関連情報挿入部１０６からのＲ用映像信号を符号化するものである。
【００５１】
１０９は第２の符号化部である。この符号化部１０９は、Ｌ用関連情報挿入部１０７からのＬ用映像信号を符号化するものである。
【００５２】
１１０は保存部である。この保存部１１０は、符号化部１０８で符号化されたＲ用映像信号を保存するものである。
【００５３】
１１１は送信部である。この送信部１１１は、符号化部１０９で符号化されたＬ用映像信号を受信機２００に送信し、所定の期間経過後、保存部１１０に保存されているＲ用映像信号を受信機２００に送信するものである。
【００５４】
次に、受信機２００の構成について説明する。
【００５５】
図４は受信機２００のブロック図である。
【００５６】
尚、以下で説明する受信機２００は、立体映像及び立体映像でない通常の映像も視聴できる受信機である。
【００５７】
２０１は受信部である。この受信部２０１は、伝送システム１００から送信されて来る映像信号を受信するものである。
【００５８】
２０２は関連情報抽出部である。この関連情報抽出部２０２は、受信部２０１で受信した映像信号に挿入されている関連情報を抽出し、この抽出した関連情報の立体識別情報及び信号識別情報に基づいて、受信した映像信号がＬ用映像信号又はＲ用映像信号のいずれの映像信号であるかを判別するものである。例えば、関連情報抽出部２０２は、受信した映像信号に挿入されている関連情報の立体識別情報の値を調べ、立体識別情報の値が“１”である場合、受信した映像信号が立体映像用の映像信号であることを判別する。そして、関連情報抽出部２０２は、受信した映像信号が立体映像用の映像信号であることを判別すると、更に関連情報の信号識別情報の値を調べ、信号識別情報の値が“０”である場合、受信した映像信号がＬ用映像信号であると判別する。
【００５９】
また、関連情報抽出部２０２は、受信した映像信号がＬ用映像信号であると判別した場合、受信したＬ用映像信号を書込部２０４に送信すると共に、Ｌ用映像信号を復号化部２０６に送信し、受信した映像信号がＲ用映像信号であると判別した場合、受信したＲ用映像信号を復号化部２０６に送信すると共に、抽出したＲ用関連情報を検索部２０５に送信するものである。
【００６０】
２０３は保存部である。この保存部２０３は、書込部２０４により書き込まれたＬ用映像信号を保存するものである。
【００６１】
２０４は書込部である。この書込部２０４は、関連情報抽出部２０２からＬ用映像信号を受信すると、Ｌ用映像信号を保存部２０３に保存させるものである。
【００６２】
２０５は検索部である。この検索部２０５は、関連情報抽出部２０２からＲ用関連情報を受信すると、受信したＲ用関連情報のＩＤ番号と同じＩＤ番号が記述されているＬ用関連情報を保存部２０３から検索し、この検索したＬ用関連情報が挿入されているＬ用映像信号を保存部２０３から読み出すものである。
【００６３】
２０６は第１の復号化部である。この復号化部２０６は、関連情報抽出部２０２から送信されて来たＬ用映像信号又はＲ用映像信号を復号化するものである。
【００６４】
２０７は第２の復号化部である。この復号化部２０７は、検索部２０５からのＬ用映像信号を復号化するものである。
【００６５】
２０８は同期部である。この同期部２０８は、復号化部２０６で復号化されたＲ用映像信号と、復号化部２０７で復号化されたＬ用映像信号とが入力されると、Ｒ用映像信号のフレームとＬ用映像信号のフレームとに付されているフレーム番号に基づいてＲ用フレームとＬ用フレームとを同期させるものである。また、復号化部２０６のみから映像信号を受信した場合、同期部２０８は、受信した映像信号を合成部２０９に送信するものである。
【００６６】
２０９は合成部である。この合成部２０９は、同期部２０８で同期の取られたＬ用フレームとＲ用フレームとを受信すると、Ｌ用フレームとＲ用フレームを合成し、立体映像として表示部２１０に表示させるものである。また、同期部２０８からＬ用映像信号又はＲ用映像信号のいずれかのみ送信されて来た場合、合成部２０９は、映像信号を通常の映像信号として表示部２１０に表示させるものである。
【００６７】
２１０は表示部である。この表示部２１０は、合成部２０９で合成されたＬ用フレームとＲ用フレームとを立体映像として表示するものである。また。表示部２１０は、合成部２０９からのＬ用映像信号又はＲ用映像信号のいずれかを通常の映像信号として表示するものである。
【００６８】
続いて、上記構成における動作について説明する。
【００６９】
まず、伝送システム１００の立体映像生成部１０１は、立体映像として必要なＬ用映像信号及びＲ用映像信号を生成し、Ｌ用映像信号をＬ用同期情報挿入部１０３に送信し、Ｒ用映像信号をＲ用同期情報挿入部１０４に送信する。
【００７０】
一方、同期情報生成部１０２は、同期情報としてＬ用フレームとＲ用フレームとに付すフレーム番号を生成する。例えば、立体映像を構成する、複数のＬ用フレームをＬ１，Ｌ２，Ｌ３，・・・・とし、複数のＲ用フレームをＲ１，Ｒ２，Ｒ３，・・・・とした場合、同期情報生成部１０２は、同一タイミングで表示させるＬ１とＲ１とにフレーム番号“１”、同一タイミングで表示させるＬ２とＲ２とにフレーム番号“２”、同一タイミングで表示させるＬ３とＲ３とにフレーム番号“３”・・・を生成する。
【００７１】
そして、同期情報生成部１０２は、生成したフレーム番号をＬ用同期情報挿入部１０３及びＲ用同期情報挿入部１０４に送信する。
【００７２】
同期情報生成部１０２からフレーム番号を受信したＬ用同期情報挿入部１０３は、受信したフレーム番号をＬ用映像信号のフレームに挿入してＬ用関連情報挿入部１０７に送信する。
【００７３】
同様に、同期情報生成部１０２からフレーム番号を受信したＲ用同期情報挿入部１０４は、受信したフレーム番号をＲ用映像信号のフレームに挿入してＲ用関連情報挿入部１０６に送信する。
【００７４】
更に、立体表示用関連情報生成部１０５は、Ｌ用関連情報及びＲ用関連情報を生成する。例えば、複数のＬ用フレーム（Ｌ１，Ｌ２，Ｌ３・・・）から成るＬ用映像信号と、複数のＲ用フレーム（Ｒ１，Ｒ２，Ｒ３・・・）から成るＲ用映像信号とが相補関係にある場合、立体表示用関連情報生成部１０５は、Ｌ用映像信号に挿入する為のＬ用関連情報（立体識別情報“１”，信号識別情報“０”，ＩＤ番号“１２３４”）と、Ｒ用映像信号に挿入する為のＲ用関連情報（立体識別情報“１”，信号識別情報“１”、ＩＤ番号“１２３４”）とを生成する。
【００７５】
そして、立体表示用関連情報生成部１０５は、Ｒ用関連情報をＲ用関連情報挿入部１０６に送信し、Ｌ用関連情報をＬ用関連情報挿入部１０７に送信する。
【００７６】
立体表示用関連情報生成部１０５からＲ用関連情報を受信したＲ用関連情報挿入部１０６は、受信したＲ用関連情報をＲ用同期情報挿入部１０４からのＲ用映像信号に挿入し、このＲ用関連情報を挿入したＲ用映像信号を符号化部１０８に送信する。
【００７７】
Ｒ用関連情報挿入部１０６からＲ用映像信号を受信した符号化部１０８は、受信したＲ用映像信号を符号化する。この符号化されたＲ用映像信号は、保存部１１０に保存される。
【００７８】
一方、立体表示用関連情報生成部１０５からＬ用関連情報を受信したＬ用関連情報挿入部１０７は、受信したＬ用関連情報をＬ用同期情報挿入部１０３からのＬ用映像信号に挿入し、このＬ用関連情報が挿入されたＬ用映像信号を符号化部１０９に送信する。
【００７９】
Ｌ用関連情報挿入部１０７からＬ用映像信号を受信した符号化部１０９は、受信したＬ用映像信号を符号化する。この符号化されたＬ用映像信号は、送信部１１１を介して受信機２００に送信される。
【００８０】
伝送システム１００から送信された映像信号（Ｌ用映像信号）を受信した受信機２００の受信部２０１は、受信した映像信号を関連情報抽出部２０２に送信する。
【００８１】
そして、関連情報抽出部２０２は、受信部２０１から送信されて来た映像信号から関連情報（Ｌ用関連情報）を抽出し、この抽出した関連情報から受信した映像信号が、立体映像用のＬ用映像信号であることを判別する。例えば、関連情報抽出部２０２は、受信した映像信号から関連情報を抽出すると、この抽出した関連情報の立体識別情報の値を調べ、立体識別情報の値が“１”である場合、受信した映像信号が立体映像用の映像信号であると判別する。そして、関連情報抽出部２０２は、受信した映像信号が立体映像用の映像信号であると判別すると、更に抽出した関連情報の信号識別情報の値を調べ、信号識別情報の値が０である場合、受信した映像信号がＬ用映像信号であると判別する。
【００８２】
この結果、関連情報抽出部２０２は、受信したＬ用映像信号を書込部２０４に送信すると共に、同一のＬ用映像信号を復号化部２０６に送信する。この送信されたＬ用映像信号を受信した書込部２０４は、受信したＬ用映像信号を保存部２０３に保存させる。
【００８３】
一方、復号化部２０６は、関連情報抽出部２０２からのＬ用映像信号を復号化する。この復号化されたＬ用映像信号は、同期部２０８及び合成部２０９を介して表示部２１０で通常の映像として表示される。
【００８４】
このように伝送システム１００から送信されたＬ用映像信号は、立体映像を生成する際に用いられるだけでなく、立体映像の映像信号ではない通常の映像信号としても用いられる。
【００８５】
ところで、立体映像の視聴できない通常の受信機は、その受信機が対応していないオプション情報が挿入されている場合、その情報は無視する。従って、通常の受信機では、Ｌ用映像信号に挿入されているＬ用関連情報が無視され、立体映像の映像信号ではない通常の映像信号として再生される。このようにして、立体映像の視聴できない受信機においても、Ｌ用映像信号を用いて通常の映像を鑑賞することができる。
【００８６】
所定の期間経過後、伝送システム１００は、保存部１１０に保存されているＲ用映像信号を、再放送番組の映像信号として、送信部１１１を介して受信機２００に送信する。
【００８７】
伝送システム１００から送信されて来た映像信号（Ｒ用映像信号）を受信した受信機２００の受信部２０１は、受信した映像信号を関連情報抽出部２０２に送信する。
【００８８】
そして、関連情報抽出部２０２は、受信部２０１から送信されて来た映像信号から関連情報（Ｒ用関連情報）を抽出し、この抽出した関連情報から受信した映像信号が、立体映像用のＲ用映像信号であることを判別する。例えば、関連情報抽出部２０２は、受信した映像信号から関連情報を抽出すると、この抽出した関連情報の立体識別情報の値を調べ、立体識別情報の値が“１”である場合、受信した映像信号が立体映像用の映像信号であると判別する。そして、関連情報抽出部２０２は、受信した映像信号が立体映像用の映像信号であると判別すると、更に抽出した関連情報の信号識別情報の値を調べ、信号識別情報の値が１である場合、受信した映像信号がＲ用映像信号であると判別する。
【００８９】
この結果、関連情報抽出部２０２は、抽出したＲ用関連情報を検索部２０５に送信し、受信したＲ用映像信号を復号化部２０６に送信する。この送信されたＲ用映像信号を受信した復号化部２０６は、受信したＲ用映像信号を復号化して同期部２０８に送信する。
【００９０】
一方、関連情報抽出部２０２からＲ用関連情報を受信した検索部２０５は、受信したＲ用関連情報のＩＤ番号と同じＩＤ番号の記述されているＬ用関連情報を保存部２０３から検索する。例えば、検索部２０５は、受信したＲ用関連情報のＩＤ番号が“１２３４”である場合、このＩＤ番号“１２３４”と同じＩＤ番号“１２３４”の記述されたＬ用関連情報を保存部２０３から検索する。
【００９１】
そして、検索部２０５は、検索したＬ用関連情報の挿入されているＬ用映像信号を保存部２０３から読み出し、この読み出したＬ用映像信号を復号化部２０７に送信する。
【００９２】
検索部２０５からＬ用映像信号を受信した復号化部２０７は、受信したＬ用映像信号を復号化し、この復号化したＬ用映像信号を同期部２０８に送信する。
【００９３】
そして、同期部２０８は、復号化部２０６で復号化されたＲ用映像信号と復号化部２０７で復号化されたＬ用映像信号とを受信すると、Ｒ用映像信号のフレームとＬ用映像信号のフレームとに付されているフレーム番号に基づいて、Ｒ用フレームとＬ用フレームとを同期させる。例えば、同期部２０８は、Ｒ用フレームに付されているフレーム番号を調べ、このフレーム番号が“１”であった場合、フレーム番号“１”の付されているＬ用フレームとを同期させ、更にＲ用フレームに付されているフレーム番号を調べ、このフレーム番号が“２”であった場合、フレーム番号“２”の付されているＬ用フレームとを同期させ、・・・Ｒ用映像信号のＲ用フレームとＬ用映像信号のＬ用フレームとを同期させる。
【００９４】
そして、同期部２０８は、同期させたＲ用フレームとＬ用フレームとを合成部２０９に送信する。この結果、合成部２０９は、同期部２０８から送信されて来たＬ用フレームとＲ用フレームとを合成して表示部２１０に送信する。
【００９５】
そして、表示部２１０は、合成部２０９で合成されたＬ用フレームとＲ用フレームとを立体映像として表示する。
【００９６】
ところで、立体映像の視聴できない通常の受信機では、伝送システム１００から再放送番組の映像信号として送信されて来たＲ用映像信号が受信されると、上述したＬ用映像信号と同様に、受信されたＲ用映像信号に挿入されているＲ用関連情報は無視され、通常の映像信号として再生される。このようにして、立体映像の視聴できない受信機においても、Ｒ用映像信号を用いて通常の映像を鑑賞することができる。
【００９７】
尚、第１の実施の形態では、伝送システム１００からＬ用映像信号を送信した後にＲ用映像信号を送信する場合について説明したが、この場合に限るものではない。例えば、Ｒ用映像信号を送信した後にＬ用映像信号を送信するようにしても良い。
【００９８】
また、Ｌ用関連情報及びＲ用関連情報は、立体識別情報、信号識別情報、及びＩＤ番号から成る場合について説明したが、この場合に限るものではない。例えば、図５に示す如く、Ｌ用関連情報及びＲ用映像信号に、ＩＤ番号、立体識別情報、信号識別情報、及び相手のＩＤ番号を付すようにしても良い。
【００９９】
第２の実施の形態について説明する。
【０１００】
第１の実施の形態では、伝送システムから送信されて来たＬ用映像信号を受信機の保存部に保存させ、後日、伝送システムから再放送番組の映像信号として送信されて来たＲ用映像信号と、受信機の保存部に保存させたＬ用映像信号とを用いて立体映像を鑑賞する場合について説明した。
【０１０１】
しかしながら、第１の実施の形態では、伝送システムからのＲ用映像信号を受信すると、リアルタイムに立体映像が受信機で再生されてしまう為、その後、再び立体映像を鑑賞することができない。
【０１０２】
そこで、本発明では、後日、伝送システムから再放送番組の映像信号として送信されて来たＲ用映像信号も受信機の保存部に保存させ、ユーザの好きな時に、受信機の保存部に保存させたＬ用映像信号及びＲ用映像信号を用いて、立体映像を鑑賞することができるようにすることを特徴とする。
【０１０３】
以下、第２の実施の形態を具体的に説明する。
【０１０４】
まず、本実施の形態の構成について説明する。
【０１０５】
尚、第２の実施の形態にあっては、上述した第１の実施の形態で説明した構成と相異する、伝送システムの立体表示用関連情報生成部と、受信機の書込部、検索部、及び番組リスト表示制御部とについて説明し、その他の構成は同様であるから、詳細な説明は省略する。
【０１０６】
また、第２の実施の形態における説明では、第１の実施の形態と同様に、先にＬ用映像信号を伝送システムから送信する場合について説明する。
【０１０７】
まず、伝送システム１００の構成について説明する。
【０１０８】
図６は伝送システム１００のブロック図である。
【０１０９】
１０５Ａは立体表示用関連情報生成部である。この立体表示用関連情報生成部１０５Ａは、Ｌ用関連情報とＲ用関連情報とを生成するものである。
【０１１０】
尚、Ｒ用関連情報には、第１の実施の形態で説明した立体識別情報、信号識別情報、ＩＤ番号の他に、Ｌ用映像信号及びＲ用映像信号から成る立体映像の内容を識別する為の識別情報を加える。ここで、識別情報は、立体映像の番組の番組名及び放送日、Ｇコード等が考えられる。
【０１１１】
尚、以下の説明では、識別情報を番組名及び放送日として説明する。
【０１１２】
次に、受信機２００の構成について説明する。
【０１１３】
図７は受信機２００のブロック図である。図８は番組リストを説明する為の図である。
【０１１４】
２０４Ａは書込部である。この書込部２０４Ａは、第１の実施の形態で説明した書込部２０４の機能に加え、関連情報抽出部２０２からのＲ用映像信号を保存部２０３に保存させるものである。
【０１１５】
２０５Ａは検索部である。この検索部２０５Ａは、ユーザがリモコン等で表示部２１０に表示された番組リストから特定の番組名を指定すると、この指定された番組名が記述されているＲ用関連情報を保存部２０３から検索し、この検索したＲ用関連情報に基づいて、Ｒ用映像信号と相補関係にあるＬ用映像信号のＬ用関連情報を保存部２０３から検索するものである。また、検索部２０５Ａは、検索したＬ用関連情報とＲ用関連情報とに基づいて、Ｌ用映像信号とＲ用映像信号とを保存部２０３から読み出す。
【０１１６】
２１１は番組リスト表示制御部である。この番組リスト表示制御部２１１は、ユーザがリモコン等の操作により、現在受信機２００で再生可能な立体映像の番組リストを表示するよう指示すると、保存部２０３に保存されているＲ用関連情報及びＬ用関連情報に基づいて、現在立体映像として再生可能な映像信号が存在する否かを判断し、再生可能な映像信号が存在する場合、この再生可能な立体映像におけるＲ用映像信号のＲ用関連情報に記述されている番組名及び放送日を表示部２１０に表示させるものである。
【０１１７】
続いて、上記構成における動作について説明する。
【０１１８】
まず、伝送システム１００の立体映像生成部１０１は、立体映像として必要なＬ用映像信号及びＲ用映像信号を生成すると、Ｌ用映像信号をＬ用同期情報挿入部１０３に送信し、Ｒ用映像信号をＲ用同期情報挿入部１０４に送信する。
【０１１９】
一方、同期情報生成部１０２は、Ｌ用映像信号のフレーム及びＲ用映像信号のフレームに付すフレーム番号を生成してＬ用同期情報挿入部１０３及びＲ用同期情報挿入部１０４に送信する。
【０１２０】
そして、Ｌ用同期情報挿入部１０３は、同期情報生成部１０２からのフレーム番号を立体映像生成部１０１からのＬ用映像信号に挿入してＬ用関連情報挿入部１０７に送信し、Ｒ用同期情報挿入部１０４は、同期情報生成部１０２からのフレーム番号を立体映像生成部１０１からのＲ用映像信号に挿入してＲ用関連情報挿入部１０６に送信する。
【０１２１】
更に、立体表示用関連情報生成部１０５Ａは、Ｌ用関連情報及びＲ用関連情報を生成する。例えば、複数のＬ用フレーム（Ｌ１，Ｌ２，Ｌ３・・・）から成るＬ用映像信号と、複数のＲ用フレーム（Ｒ１，Ｒ２，Ｒ３・・・）から成るＲ用映像信号とが相補関係にある場合、立体表示用関連情報生成部１０５Ａは、Ｌ用関連情報（立体識別情報“１”，信号識別情報“０”，ＩＤ番号“１２３４”）と、Ｒ用関連情報（立体識別情報“１”，信号識別情報“１”、ＩＤ番号“１２３４”，番組名“Ａ”、放送日“１月１日”）とを生成する。
【０１２２】
そして、立体表示用関連情報生成部１０５Ａは、Ｒ用関連情報をＲ用関連情報挿入部１０６に送信し、Ｌ用関連情報をＬ用関連情報挿入部１０７に送信する。
【０１２３】
立体表示用関連情報生成部１０５ＡからＲ用関連情報を受信したＲ用関連情報挿入部１０６は、受信したＲ用関連情報をＲ用同期情報挿入部１０４からのＲ用映像信号に挿入する。このＲ用関連情報の挿入されたＲ用映像信号は、符号化部１０８で符号化され保存部１１０に保存される。
【０１２４】
一方、立体表示用関連情報生成部１０５ＡからＬ用関連情報を受信したＬ用関連情報挿入部１０７は、受信したＬ用関連情報をＬ用同期情報挿入部１０３からのＬ用映像信号に挿入する。このＬ用関連情報の挿入されたＬ用映像信号は、符号化部１０９及び送信部１１１を介して受信機２００に送信される。
【０１２５】
伝送システム１００から送信された映像信号（Ｌ用映像信号）を受信した受信機２００の受信部２０１は、受信した映像信号を関連情報抽出部２０２に送信する。
【０１２６】
そして、関連情報抽出部２０２は、受信部２０１から送信されて来た映像信号から関連情報（Ｌ用関連情報）を抽出し、この抽出した関連情報に基づいて、受信した映像信号がＬ用映像信号であることを判別する。例えば、関連情報抽出部２０２は、受信した映像信号から関連情報を抽出すると、この抽出した関連情報の立体識別情報の値を調べ、立体識別情報の値が“１”である場合、受信した映像信号が立体映像用の映像信号であると判別する。そして、関連情報抽出部２０２は、受信した映像信号が立体映像用の映像信号であると判別すると、更にＬ用関連情報の信号識別情報の値を調べ、信号識別情報の値が０である場合、受信した映像信号がＬ用映像信号であると判別する。
【０１２７】
この結果、関連情報抽出部２０２は、受信したＬ用映像信号を書込部２０４Ａに送信する。この送信されたＬ用映像信号を受信した書込部２０４Ａは、受信したＬ用映像信号を保存部２０３に保存させる。
【０１２８】
ところで、伝送システム１００は、所定の期間経過後、保存部１１０に保存されているＲ用映像信号を再放送番組の映像信号として、送信部１１１を介して受信機２００に送信する。
【０１２９】
伝送システム１００から送信されて来た映像信号（Ｒ用映像信号）を受信した受信機２００の受信部２０１は、受信した映像信号を関連情報抽出部２０２に送信する。
【０１３０】
そして、関連情報抽出部２０２は、受信部２０１から送信されて来た映像信号から関連情報（Ｒ用関連情報）を抽出し、この抽出した関連情報に基づいて、受信した映像信号がＲ用映像信号であることを判別する。例えば、関連情報抽出部２０２は、受信した映像信号から関連情報を抽出すると、この抽出した関連情報の立体識別情報の値を調べ、立体識別情報の値が“１”である場合、受信した映像信号が立体映像用の映像信号であると判別する。そして、関連情報抽出部２０２は、受信した映像信号が立体映像用の映像信号であると判別すると、更に受信した関連情報の信号識別情報の値を調べ、信号識別情報の値が１である場合、受信した映像信号がＲ用映像信号であると判別する。
【０１３１】
この結果、関連情報抽出部２０２は、受信したＲ用映像信号を書込部２０４Ａに送信する。この送信されたＲ用映像信号を受信した書込部２０４Ａは、Ｒ用映像信号を保存部２０３に保存させる。
【０１３２】
上述のように、立体映像を生成する際に必要となるＬ用映像信号とＲ用映像信号とが受信機２００に保存される。
【０１３３】
ユーザがリモコン等の操作により、現在受信機２００で立体映像として再生可能な番組リストを表示するよう指示した場合、番組リスト表示制御部２１１は、保存部２０３に保存されているＲ用関連情報及びＬ用関連情報に基づいて、立体映像として再生可能な映像信号（Ｒ用映像信号及びＬ用映像信号）が存在するか否かを判断する。例えば、Ｌ用映像信号（Ｌ用関連情報：立体識別情報“１”、信号識別情報“０”，ＩＤ番号“１２３４”）と、このＬ用映像信号と相補関係にあるＲ用映像信号（Ｒ用関連情報：立体識別情報“１”、信号識別情報“１”、ＩＤ番号“１２３４”、番組名“Ａ”、放送日“１月１日”）とが受信機２００の保存部２０３に保存されている場合、番組リスト表示制御部２１１は、保存部２０３に保存されている関連情報の信号識別情報に“１”が記述されている関連情報（Ｒ用関連情報）を検索し、この検索したＲ用関連情報のＩＤ番号“１２３４”と同じＩＤ番号“１２３４”、かつ、信号識別情報“０”の記述されている関連情報（Ｌ用関連情報）が保存部２０３に存在するか否かを判別する。このＩＤ番号と信号識別情報の記述されたＬ用関連情報が保存部２０３に存在する場合、番組リスト表示制御部２１１は、立体映像として再生可能なＲ用映像信号及びＬ用映像信号が保存部２０３に存在することを判別する。この結果、番組リスト表示制御部２１１は、図８に示す如く、Ｒ用関連情報の番組名及び放送日を表示部２１０に表示させる。
【０１３４】
ユーザがリモコン等の操作により、表示部２１０に表示された番組リストから受信機２００に表示させたい番組名を指定すると、検索部２０５Ａは、指定された番組名が記述されているＲ用関連情報を保存部２０３から検索し、この検索したＲ用関連情報に基づいて、Ｌ用関連情報を保存部２０３から検索する。例えば、ユーザが番組名“Ａ”を選択した場合、検索部２０５Ａは、選択された番組名“Ａ”が記述されている関連情報（Ｒ用関連情報）を保存部２０３から検索し、検索したＲ用関連情報のＩＤ番号“１２３４”と同じＩＤ番号“１２３４”、かつ信号識別情報“０”が記述されている関連情報（Ｌ用映像信号）を保存部２０３から検索する。
【０１３５】
そして、検索部２０５Ａは、検索したＲ用関連情報の挿入されているＲ用映像信号と、検索したＬ用関連情報の挿入されているＬ用映像信号とを保存部２０３から読み出す。
【０１３６】
更に、検索部２０５Ａは、読み出したＬ用映像信号を復号化部２０７に送信し、読み出したＲ用映像信号を復号化部２０６に送信する。
【０１３７】
検索部２０５ＡからＬ用映像信号を受信した復号化部２０７は、受信したＬ用映像信号を復号化し、この復号化したＬ用映像信号を同期部２０８に送信する。
【０１３８】
同様に、検索部２０５ＡからＲ用映像信号を受信した復号化部２０６は、受信したＲ用映像信号を復号化し、この復号化したＲ用映像信号を同期部２０８に送信する。
【０１３９】
そして、同期部２０８は、復号化部２０６で復号化されたＲ用映像信号と復号化部２０７で復号化されたＬ用映像信号とを受信すると、Ｒ用映像信号のフレームとＬ用映像信号のフレームとに付されているフレーム番号に基づいて、Ｒ用フレームとＬ用フレームとを同期させて合成部２０９に送信する。この結果、合成部２０９は、同期部２０８から送信されて来たＬ用フレームとＲ用フレームとを合成し、この合成したＬ用フレームとＲ用フレームとを表示部２１０に送信する。
【０１４０】
そして、表示部２１０は、合成部２０９で合成されたＬ用フレームとＲ用フレームとを立体映像として表示する。
【０１４１】
このようにして、ユーザは、受信機２００の保存部２０３に保存されているＬ用映像信号とＲ用映像信号とにより、随時、立体映像を鑑賞することができる。
【０１４２】
尚、第２の実施の形態では、Ｌ用関連情報が、立体識別情報、信号識別情報、及びＩＤ番号からなり、Ｒ用関連情報が、立体識別情報、信号識別情報、ＩＤ番号、番組名、及び放送日から成る場合について説明したが、この場合に限るものではない。例えば、Ｒ用関連情報が、立体識別情報、信号識別情報、及びＩＤ番号からなり、Ｌ用関連情報が、立体識別情報、信号識別情報、ＩＤ番号、番組名、及び放送日から成るようにしても良い。
【０１４３】
また、受信機において、Ｌ用映像信号又はＲ用映像信号に含まれている関連情報（Ｌ用関連情報又はＲ用関連情報）のいずれの関連情報らからでも相手の映像信号が検索できるようＬ用関連情報及びＲ用映像信号に、ＩＤ番号、立体識別情報、信号識別情報、相手のＩＤ番号、番組名、及び放送日から成るようにしても良い。
【０１４４】
また、第１の実施の形態及び第２の形態では、ディジタル放送について説明したが、この場合に限るものではない。例えば、アナログ放送の場合にも本発明を用いることが出来る。
【０１４５】
また、第２の実施の形態では、受信機で再生する立体映像を特定する為に番組リストを用いる場合について説明したが、この場合に限るものではない。例えば、受信機が１番組分の立体映像しか保存できない場合、番組リストを表示させず、ユーザから立体映像の再生が指示されると、保存されているＬ用映像信号とＲ用映像信号とに基づいて、立体映像を再生するようにしても良い。
【０１４６】
第３の実施の形態について説明する。
【０１４７】
第１の実施の形態では、ディジタル放送の場合について説明した。
【０１４８】
第３の実施の形態では、映像信号を送信するサーバと、映像信号を受信する端末装置とがネットワークで繋がれているシステムにおいて、サーバから立体映像信号のＲ用映像信号と、立体映像信号のＬ用映像信号とを別々に送信し、立体映像を視聴できる端末装置はもちろんのこと、立体映像を視聴できない端末装置でも通常の映像として鑑賞することができるようにすることを特徴とする。
【０１４９】
以下、第３の実施の形態を具体的に説明する。
【０１５０】
尚、第３の実施の形態における説明では、第１の実施の形態と同様に先にＬ用映像信号をサーバから送信する場合について説明する。
【０１５１】
図９は第３の実施の形態における立体映像配信システムのブロック図である。
【０１５２】
図９中、１００Ｃはサーバであり、２００Ｃは端末装置である。そして、サーバ１００Ｃと端末装置２００Ｃはネットワーク（例えば、インターネット）で繋がれている。
【０１５３】
先ず、サーバ１００Ｃの構成について説明する。
【０１５４】
図１０はサーバ１００Ｃのブロック図である。
【０１５５】
サーバ１００Ｃは、保存部１１０Ｃ、及び送信部１１１Ｃを有している。
【０１５６】
保存部１１０Ｃは、Ｌ用関連情報の挿入されたＬ用映像信号と、Ｒ用関連情報が挿入されたＲ用映像信号とが保存されている。
【０１５７】
尚、Ｌ用関連情報及びＲ用関連情報は、第１の実施の形態と同様に、立体識別情報、信号識別情報、及びＩＤ番号から成る。また、Ｌ用映像信号及びＲ用映像信号に挿入される同期情報は、第１の実施の形態と同様にフレーム番号を用いる場合について説明する。
【０１５８】
送信部１１１Ｃは、保存部１１０Ｃに保存されているＬ用映像信号を端末装置２００Ｃに送信し、所定の期間経過後、保存部１１０Ｃに保存されているＲ用映像信号を端末装置２００Ｃに送信するものである。
【０１５９】
次に、端末装置２００Ｃの構成について説明する。
【０１６０】
図１１は端末装置２００Ｃのブロック図である。
【０１６１】
尚、以下で説明する端末装置２００Ｃは、立体映像及び立体映像でない通常の映像も視聴できる端末装置である。
【０１６２】
端末装置２００Ｃは、受信部２０１Ｃ、関連情報抽出部２０２Ｃ、保存部２０３Ｃ、書込部２０４Ｃ、検索部２０５Ｃ、第１の復号化部２０６Ｃ、第２の復号化部２０７Ｃ、同期部２０８Ｃ、同期部２０８Ｃ、合成部２０９Ｃ、及び表示部２１０Ｃを有する。
【０１６３】
関連情報抽出部２０２Ｃは、受信部２０１Ｃで受信した映像信号に挿入されている関連情報を抽出し、この抽出した関連情報の信号識別情報に基づいて、受信した映像信号がＬ用映像信号又はＲ用映像信号のいずれの映像信号であるかを判別するものである。また、関連情報抽出部２０２Ｃは、受信した映像信号がＬ用映像信号であると判別した場合、受信したＬ用映像信号を書込部２０４Ｃに送信すると共に、Ｌ用映像信号を復号化部２０６Ｃに送信し、受信した映像信号がＲ用映像信号であると判別した場合、受信したＲ用映像信号を復号化部２０６Ｃに送信すると共に、抽出したＲ用関連情報を検索部２０５Ｃに送信するものである。
【０１６４】
書込部２０４Ｃは、関連情報抽出部２０２ＣからＬ用映像信号を受信すると、Ｌ用映像信号を保存部２０３Ｃに保存させるものである。
【０１６５】
検索部２０５Ｃは、関連情報抽出部２０２ＣからＲ用関連情報を受信すると、受信したＲ用関連情報のＩＤ番号と同じＩＤ番号が記述されているＬ用関連情報を保存部２０３Ｃから検索し、この検索したＬ用関連情報が挿入されているＬ用映像信号を保存部２０３Ｃから読み出すものである。
【０１６６】
復号化部２０６Ｃは、関連情報抽出部２０２Ｃから送信されて来たＬ用映像信号又はＲ用映像信号を復号化するものである。
【０１６７】
復号化部２０７Ｃは、検索部２０５ＣからのＬ用映像信号を復号化するものである。
【０１６８】
同期部２０８Ｃは、復号化部２０６Ｃで復号化されたＲ用映像信号と、復号化部２０７で復号化されたＬ用映像信号とを受信すると、Ｒ用映像信号のフレームとＬ用映像信号のフレームとに付されているフレーム番号に基づいてＲ用フレームとＬ用フレームとを同期させるものである。また、復号化部２０６Ｃのみから映像信号を受信した場合、同期部２０８Ｃは、受信した映像信号を合成部２０９Ｃに送信するものである。
【０１６９】
合成部２０９Ｃは、同期部２０８Ｃで同期の取られたＬ用フレームとＲ用フレームとを受信すると、Ｌ用フレームとＲ用フレームを合成し、立体映像として表示部２１０Ｃに表示させるものである。また、同期部２０８ＣからＬ用映像信号又はＲ用映像信号のいずれかのみ送信されて来た場合、合成部２０９Ｃは、映像信号を通常の映像信号として表示部２１０Ｃに表示させるものである。
【０１７０】
続いて、上記構成における動作について説明する。
【０１７１】
尚、以下の説明では、Ｌ用関連情報に、立体識別情報“１”，信号識別情報“０”，ＩＤ番号“１２３４”が記述され、Ｒ用関連情報に、立体識別情報“１”，信号識別情報“１”、ＩＤ番号“１２３４”が記述されているものとして説明する。
【０１７２】
まず、サーバ１００Ｃは、保存部１１０Ｃに保存されているＬ用映像信号を送信部１１１Ｃを介して端末装置２００Ｃに送信する。
【０１７３】
そして、端末装置２００Ｃの関連情報抽出部２０２Ｃは、受信部２０１Ｃを介して受信した映像信号（Ｌ用映像信号）から関連情報（Ｌ用関連情報）を抽出し、関連情報の立体識別情報の値を調べ、立体識別情報の値が“１”である場合、受信した映像信号が立体映像用の映像信号であると判別する。この結果、抽出した関連情報の信号識別情報の値を調べ、信号識別情報の値が０である場合、受信した映像信号がＬ用映像信号であると判別する。
【０１７４】
これにより、関連情報抽出部２０２Ｃは、受信したＬ用映像信号を書込部２０４Ｃに送信すると共に、同一のＬ用映像信号を復号化部２０６Ｃに送信する。この送信されたＬ用映像信号を受信した書込部２０４Ｃは、受信したＬ用映像信号を保存部２０３Ｃに保存させる。
【０１７５】
一方、復号化部２０６Ｃは、関連情報抽出部２０２ＣからのＬ用映像信号を復号化する。この復号化されたＬ用映像信号は、同期部２０８Ｃ及び合成部２０９Ｃを介して表示部２１０Ｃで通常の映像として表示される。
【０１７６】
所定の期間経過後、サーバ１００Ｃは、保存部１１０Ｃに保存されているＲ用映像信号を、再放送番組の映像信号として、送信部１１１Ｃを介して端末装置２００Ｃに送信する。
【０１７７】
そして、端末装置２００Ｃの関連情報抽出部２０２Ｃは、受信部２０１Ｃを介して受信した映像信号（Ｒ用映像信号）から関連情報（Ｒ用関連情報）を抽出し、関連情報の立体識別情報の値を調べ、立体識別情報の値が“１”である場合、受信した映像信号が立体映像用の映像信号であると判別する。この結果、抽出した関連情報の信号識別情報の値を調べ、信号識別情報の値が１である場合、受信した映像信号がＲ用映像信号であると判別する。
【０１７８】
これにより、関連情報抽出部２０２Ｃは、抽出したＲ用関連情報を検索部２０５Ｃに送信し、受信したＲ用映像信号を復号化部２０６Ｃに送信する。この送信されたＲ用映像信号を受信した復号化部２０６Ｃは、受信したＲ用映像信号を復号化して同期部２０８Ｃに送信する。
【０１７９】
一方、関連情報抽出部２０２ＣからＲ用関連情報を受信した検索部２０５Ｃは、受信したＲ用関連情報のＩＤ番号と同じＩＤ番号の記述されているＬ用関連情報を保存部２０３Ｃから検索してＬ用関連情報の挿入されているＬ用映像信号を保存部２０３Ｃから読み出し、この読み出したＬ用映像信号を復号化部２０７Ｃに送信する。このＬ用映像信号を受信した復号化部２０７Ｃは、受信したＬ用映像信号を復号化して同期部２０８Ｃに送信する。
【０１８０】
そして、同期部２０８Ｃは、復号化部２０６Ｃで復号化されたＲ用映像信号と復号化部２０７Ｃで復号化されたＬ用映像信号とを受信すると、Ｒ用映像信号のフレームとＬ用映像信号のフレームとに付されているフレーム番号に基づいて、Ｒ用フレームとＬ用フレームとを同期させ、同期させたＲ用フレームとＬ用フレームとを合成部２０９Ｃに送信する。この結果、合成部２０９Ｃは、Ｌ用フレームとＲ用フレームとを合成して表示部２１０Ｃに送信する。
【０１８１】
そして、表示部２１０Ｃは、合成部２０９Ｃで合成されたＬ用フレームとＲ用フレームとを立体映像として表示する。
【０１８２】
第４の実施の形態について説明する。
【０１８３】
第３の実施の形態では、サーバからネットワークを介して送信されて来たＬ用映像信号を端末装置の保存部に保存させ、後日、サーバから再放送番組の映像信号として送信されて来たＲ用映像信号と、端末装置の保存部に保存させたＬ用映像信号とを用いて立体映像を鑑賞する場合について説明した。
【０１８４】
しかしながら、第３の実施の形態では、サーバからのＲ用映像信号を受信すると、リアルタイムに立体映像が端末装置で再生されてしまう為、その後、再び立体映像を鑑賞することができない。
【０１８５】
そこで、本発明では、後日、サーバからネットワークを介して送信されて来たＲ用映像信号も端末装置の保存部に保存させ、ユーザの好きな時に、端末装置の保存部に保存させたＬ用映像信号及びＲ用映像信号を用いて、立体映像を鑑賞することができるようにすることを特徴とする。
【０１８６】
以下、第４の実施の形態を具体的に説明する。
【０１８７】
まず、第４の実施の形態における構成について説明する。
【０１８８】
尚、第４の実施の形態にあっては、上述した第３の実施の形態で説明した構成と相異する、サーバの保存部と、端末装置の書込部、検索部、及び番組リスト表示制御部とについて説明し、その他の構成は同様であるから、詳細な説明は省略する。
【０１８９】
また、第４の実施の形態における説明では、第３の実施の形態と同様に、先にＬ用映像信号をサーバから送信する場合について説明する。
【０１９０】
まず、サーバ１００Ｃの構成について説明する。
【０１９１】
図１２はサーバ１００Ｃのブロック図である。
【０１９２】
保存部１１０Ｄは、Ｌ用関連情報の挿入されたＬ用映像信号と、Ｒ用関連情報の挿入されたＲ用映像信号とが保存されている。尚、Ｒ用関連情報には、第３の実施の形態で説明したＲ用関連情報の情報の他に、識別情報（番組名及び放送日）が記述されている。
【０１９３】
次に、端末装置２００Ｃの構成について説明する。
【０１９４】
図１３は端末装置２００Ｃのブロック図である。
【０１９５】
書込部２０４Ｄは、第３の実施の形態で説明した書込部２０４Ｃの機能に加え、関連情報抽出部２０２ＣからのＲ用映像信号を保存部２０３Ｃに保存させるものである。
【０１９６】
検索部２０５Ｄは、ユーザがキー操作で表示部２１０Ｃに表示された番組リストから特定の番組名を指定すると、この指定された番組名が記述されているＲ用関連情報を保存部２０３Ｃから検索し、この検索したＲ用関連情報に基づいて、Ｒ用映像信号と相補関係にあるＬ用映像信号のＬ用関連情報を保存部２０３Ｃから検索するものである。また、検索部２０５Ｄは、検索したＬ用関連情報とＲ用関連情報とに基づいて、Ｌ用映像信号とＲ用映像信号とを保存部２０３Ｃから読み出すものである。
【０１９７】
番組リスト表示制御部２１１Ｄは、ユーザがキー操作により、現在端末装置２００Ｃで再生可能な立体映像の番組リストを表示するよう指示すると、保存部２０３Ｃに保存されているＲ用関連情報及びＬ用関連情報に基づいて、現在立体映像として再生可能な映像信号が存在する否かを判断し、再生可能な映像信号が存在する場合、この再生可能な立体映像におけるＲ用映像信号のＲ用関連情報に示されている番組名及び放送日を表示部２１０Ｃに表示させるものである。
【０１９８】
続いて、上記構成における動作について説明する。
【０１９９】
尚、以下の説明では、Ｌ用関連情報に、立体識別情報“１”，信号識別情報“０”，ＩＤ番号“１２３４”が記述され、Ｒ用関連情報に、立体識別情報“１”，信号識別情報“１”、ＩＤ番号“１２３４”、番組名“Ａ”、放送日“１月１日”が記述されているものとして説明する。
【０２００】
まず、サーバ１００Ｃは、保存部１１０Ｄに保存されているＬ用映像信号を送信部１１１Ｃを介して端末装置２００Ｃに送信する。
【０２０１】
そして、端末装置２００Ｃの関連情報抽出部２０２Ｃは、受信部２０１Ｃを介して受信した映像信号（Ｌ用映像信号）から関連情報（Ｌ用関連情報）を抽出し、関連情報の立体識別情報の値を調べ、立体識別情報の値が“１”である場合、受信した映像信号が立体映像用の映像信号であると判別する。この結果、抽出した関連情報の信号識別情報の値を調べ、信号識別情報の値が０である場合、受信した映像信号がＬ用映像信号であると判別する。
【０２０２】
これにより、関連情報抽出部２０２Ｃは、受信したＬ用映像信号を書込部２０４Ｄに送信する。この送信されたＬ用映像信号を受信した書込部２０４Ｄは、受信したＬ用映像信号を保存部２０３Ｃに保存させる。
【０２０３】
ところで、サーバ１００Ｃは、所定の期間経過後、保存部１１０Ｄに保存されているＲ用映像信号を再放送番組の映像信号として、送信部１１１Ｃを介して端末装置２００Ｃに送信する。
【０２０４】
そして、端末装置２００Ｃの関連情報抽出部２０２Ｃは、受信部２０１Ｃを介して受信した映像信号（Ｒ用映像信号）から関連情報（Ｒ用関連情報）を抽出し、関連情報の立体識別情報の値を調べ、立体識別情報の値が“１”である場合、受信した映像信号が立体映像用の映像信号であると判別する。この結果、抽出した関連情報の信号識別情報の値を調べ、信号識別情報の値が１である場合、受信した映像信号がＲ用映像信号であると判別する。
【０２０５】
これにより、関連情報抽出部２０２Ｃは、受信したＲ用映像信号を書込部２０４Ｄに送信する。この送信されたＲ用映像信号を受信した書込部２０４Ｄは、Ｒ用映像信号を保存部２０３Ｃに保存させる。
【０２０６】
上述のように、立体映像を生成する際に必要となるＬ用映像信号とＲ用映像信号とが端末装置２００Ｃに保存される。
【０２０７】
ユーザがキー等の操作により、現在端末装置２００Ｃで立体映像として再生可能な番組リストを表示するよう指示した場合、番組リスト表示制御部２１１Ｄは、保存部２０３Ｃに保存されている関連情報の信号識別情報に“１”が記述されている関連情報（Ｒ用関連情報）を検索し、この検索したＲ用関連情報のＩＤ番号“１２３４”と同じＩＤ番号“１２３４”、かつ、信号識別情報“０”の記述されている関連情報（Ｌ用関連情報）が保存部２０３Ｃに存在するか否かを判別する。このＩＤ番号と信号識別情報の記述されたＬ用関連情報が保存部２０３Ｃに存在する場合、番組リスト表示制御部２１１Ｄは、立体映像として再生可能なＲ用映像信号及びＬ用映像信号が保存部２０３Ｃに存在することを判別する。この結果、番組リスト表示制御部２１１Ｄは、Ｒ用関連情報の番組名及び放送日を表示部２１０Ｃに表示させる。
【０２０８】
更に、ユーザがキー等の操作により、表示部２１０Ｃに表示された番組リストから端末装置２００Ｃに表示させたい番組名“Ａ”を指定すると、検索部２０５Ｄは、選択された番組名“Ａ”が記述されているＲ用関連情報を保存部２０３Ｃから検索し、検索したＲ用関連情報のＩＤ番号“１２３４”と同じＩＤ番号“１２３４”が記述されているＬ用関連情報を保存部２０３Ｃから検索する。
【０２０９】
そして、検索部２０５Ｄは、検索したＲ用関連情報の挿入されているＲ用映像信号と、検索したＬ用関連情報の挿入されているＬ用映像信号とを保存部２０３Ｃから読み出し、Ｌ用映像信号を復号化部２０７Ｃに、Ｒ用映像信号を復号化部２０６Ｃに送信する。このＬ用映像信号を受信した復号化部２０７Ｃは、受信したＬ用映像信号を復号化して同期部２０８Ｃに送信する。
【０２１０】
同様に、検索部２０５ＤからＲ用映像信号を受信した復号化部２０６Ｃは、受信したＲ用映像信号を復号化して同期部２０８Ｃに送信する。
【０２１１】
そして、同期部２０８Ｃは、復号化部２０６ＣからのＲ用映像信号と復号化部２０７ＣからのＬ用映像信号とを受信すると、Ｒ用映像信号のフレームとＬ用映像信号のフレームとに付されているフレーム番号に基づいて、Ｒ用フレームとＬ用フレームとを同期させて合成部２０９Ｃに送信する。この結果、合成部２０９Ｃは、Ｌ用フレームとＲ用フレームとを合成して表示部２１０Ｃに送信する。
【０２１２】
そして、表示部２１０Ｃは、合成部２０９Ｃで合成されたＬ用フレームとＲ用フレームとを立体映像として表示する。
【０２１３】
尚、第３の実施の形態、及び第４の形態では、サーバから送信されたＬ用映像信号及びＲ用映像信号を端末装置が受信して立体映像を再生する場合について説明したが、この場合に限るものではない。例えば、端末装置がサーバに対して所定の立体映像のＬ用映像信号及びＲ用映像信号の送信を要求し、この要求に対してサーバがＬ用映像信号及びＲ用映像信号を送信するようにしても良い。
【０２１４】
【発明の効果】
本発明によれば、左目用映像信号と右目用映像信号とを別々に送信する為、立体映像を視聴できない受信機においても、通常の映像として鑑賞することができる。
【０２１５】
また、本発明によれば、左目用映像信号と右目用映像信号を別々に送信する為、狭い帯域幅でも立体映像信号を送信することができるという優れた効果を奏する。
【０２１６】
また、本発明によれば、立体映像を視聴したいユーザは、同一番組を二度受信機に受信させる必要がある為、再放送番組の視聴率を向上させることができるという優れた効果を奏する。
【０２１７】
また、本発明によれば、受信機の保存部に左目用映像信号及び右目用映像信号を保存させ、立体映像の番組情報を表示できるようにすることで、いつでも、立体映像を鑑賞することができるという優れた効果を奏する。
【図面の簡単な説明】
【図１】伝送再生システムのブロック図である。
【図２】伝送システムのブロック図である。
【図３】関連情報を説明する為の図である。
【図４】受信機のブロック図である。
【図５】関連情報を説明する為の図である。
【図６】伝送システムのブロック図である。
【図７】受信機のブロック図である。
【図８】番組リストを説明する為の図である。
【図９】立体映像配信システムのブロック図である。
【図１０】サーバのブロック図である。
【図１１】端末装置のブロック図である。
【図１２】サーバのブロック図である。
【図１３】端末装置のブロック図である。
【符号の説明】
１０１　立体映像生成部
１０２　同期情報生成部
１０３　Ｌ用同期情報挿入部
１０４　Ｒ用同期情報挿入部
１０５，１０５Ａ　立体表示用関連情報生成部
１０６　Ｒ用関連情報挿入部
１０７　Ｌ用関連情報挿入部
１０８，１０９　符号化部
１１０　保存部
１１１　送信部
２０１　受信部
２０２　関連情報抽出部
２０３　保存部
２０４，２０４Ａ　書込部
２０５，２０５Ａ　検索部
２０６，２０７　復号化部
２０８　同期部
２０９　合成部
２１０　表示部
２１１Ｄ　番組リスト表示制御部
１００Ｃ　サーバ
２００Ｃ　端末装置
【図１】
2004040455.tif 000003
【図２】
2004040455.tif 000004
【図３】
2004040455.tif 000005
【図４】
2004040455.tif 000006
【図５】
2004040455.tif 000007
【図６】
2004040455.tif 000008
【図７】
2004040455.tif 000009
【図８】
2004040455.tif 000010
【図９】
2004040455.tif 000011
【図１０】
2004040455.tif 000012
【図１１】
2004040455.tif 000013
【図１２】
2004040455.tif 000014
【図１３】
2004040455.tif 000015